(57)【要約】【課題】  表示セグメント部間において輝度むらが生じるのを抑制することが可能な表示素子を、極めて簡易な構成にて実現すること。【解決手段】  電極層は、複数の第１の電極部分２３ａ〜２３ｇと、第２の電極部分２５とを含んでいる。第１の電極部分２３ａ〜２３ｇは、互いに所定の間隔を有して、所定形態（略「８」の字状）に配置されている。第２の電極部分２５は、第１の電極部分２３ａ〜２３ｇを囲むように配置されている。第１の電極部分２３ａ〜２３ｇは、基板１１の端部方向にそれぞれ引き出し形成された配線部２４ａ〜２４ｇを有している。第１の電極部分２３ａ〜２３ｇの縁に沿って電気絶縁体２７が配置されており、第１の電極部分２３ａ〜２３ｇは電気絶縁体２７にて囲まれることとなる。これにより、第１の電極部分２３ａ〜２３ｇと第２の電極部分２５とは電気的に絶縁されている。【選択図】  図３
2005107000.tif 000002
【特許請求の範囲】
【請求項１】
所定形態に配置された複数の表示セグメント部と、
前記表示セグメント部を囲むように配置された発光部と、を備えたことを特徴とする表示素子。
【請求項２】
互いに対向する一対の電極層と、
前記電極層間に配置された発光層と、を有し、
前記一対の電極層のうちの一方の電極層は、
前記各表示セグメント部に対応する複数の第１の電極部分と、
前記発光部に対応する第２の電極部分と、を含んでおり、
前記第１の電極部分と前記第２の電極部分とは電気的に絶縁されていることを特徴とする請求項１に記載の表示素子。
【請求項３】
複数の前記第１の電極部分に囲まれて当該複数の第１の電極部分の内側に位置する第２の電極部分と、当該第２の電極部分を囲む前記複数の前記第１の電極部分の外側に位置する第２の電極部分とは、隣接する前記第１の電極部分の間において電気的に接続されていることを特徴とする請求項２に記載の表示素子。
【発明の詳細な説明】
【技術分野】
【０００１】
本発明は、英数字等のセグメント表示を行う表示素子に関する。
【背景技術】
【０００２】
この種の表示素子として、所定形態に配置された複数の表示セグメント部を備えたものが知られている（例えば、特許文献１参照。）。特許文献１に記載された表示素子では、ガラス基板と、このガラス基板上に成膜された複数のセグメント電極と、各セグメント電極に対向するように設けられた背面電極と、各セグメント電極と背面電極との間に配置された発光層とを有しており、各表示セグメント部は、対応するセグメント電極、発光層及び背面電極とで構成されることとなる。
【特許文献１】特開平６−１３２０７９号公報
【発明の開示】
【発明が解決しようとする課題】
【０００３】
本発明は、表示セグメント部間において輝度むらが生じるのを抑制することが可能な表示素子を、極めて簡易な構成にて実現することを課題としている。
【課題を解決するための手段】
【０００４】
本発明者らは、表示セグメント部間において輝度むらが生じるのを抑制し得る構成の表示素子について鋭意研究を行った結果、以下のような事実を新たに見出した。
【０００５】
表示セグメント部は、発光時間が長くなるにつれて、輝度が低下する傾向を有する。したがって、特許文献１に記載されたような構成の表示素子では、同じ表示パターンが継続する、すなわち一部の表示セグメント部のみが発光し、残りの表示セグメント部が発光しない状態が長期間にわたって継続すると、発光していた表示セグメント部と発光していなかった表示セグメント部とで輝度の低下度合いが異なることとなる。このため、表示素子における表示パターンが変わり、今まで発光していた表示セグメント部と、同じく今まで発光していなかった表示セグメント部が同時に発光した場合、表示セグメント部間で輝度の差が生じ、この輝度の差がむらとなって現れてしまう。
【０００６】
輝度むらが生じるのを抑制するためには、表示セグメント部間の発光時間の差を抑制することを考慮する必要がある。所望のパターンを表示させる際に、所望のパターンに対応する表示セグメント部のみを発光させる表示態様と、所望のパターンに対応する表示セグメント部を発光させずに所望のパターンに対応しない表示セグメント部を発光させる表示態様とを繰り返せば、表示セグメント部間の発光時間の差を抑制することが可能となる。
【０００７】
しかしながら、所望のパターンに対応する表示セグメント部を発光させずに所望のパターンに対応しない表示セグメント部を発光させただけでは、上記所望のパターンを適切に認識させることはできなくなってしまう。所望のパターンを適切に認識させるためには、所望のパターンに対応しない表示セグメント部だけではなく、発光させない所望のパターンに対応する表示セグメント部の周りを全体的に発光させた状態で所望のパターンに対応する表示セグメント部を消灯させる必要がある。
【０００８】
かかる研究結果を踏まえ、本発明に係る表示素子は、所定形態に配置された複数の表示セグメント部と、表示セグメント部を囲むように配置された発光部と、を備えたことを特徴としている。
【０００９】
本発明に係る表示素子では、表示セグメント部を囲むように発光部が配置されているので、所望のパターンを表示させる際に、当該所望のパターンに対応する表示セグメント部の周りを全体的に発光させた状態で所望のパターンに対応する表示セグメント部を消灯させる表示態様を行わせ得ることができる。この結果、表示セグメント部を囲むように発光部を配置するという極めて簡易な構成にて、表示セグメント部間において輝度むらが生じるのを抑制することが可能となる。
【００１０】
また、本発明は、互いに対向する一対の電極層と、電極層間に配置された発光層と、を有し、一対の電極層のうちの一方の電極層は、各表示セグメント部に対応する複数の第１の電極部分と、発光部に対応する複数の第２の電極部分と、を含んでおり、第１の電極部分と第２の電極部分とは電気的に絶縁されていることが好ましい。このように構成した場合、各表示セグメント部は、対応する第１の電極部分、発光層及び他方の電極層とを含んで構成されることとなる。また、発光部は、対応する第２の電極部分、発光層及び他方の電極層とを含んで構成されることとなる。この結果、表示セグメント部を囲むように発光部を適切且つ容易に配置することができる。
【００１１】
また、本発明は、複数の第１の電極部分に囲まれて当該複数の第１の電極部分の内側に位置する第２の電極部分と、当該第２の電極部分を囲む複数の第１の電極部分の外側に位置する第２の電極部分とは、隣接する第１の電極部分の間において電気的に接続されていることが好ましい。このように構成した場合、複数の第１の電極部分に囲まれて当該複数の第１の電極部分の内側に位置する第２の電極部分に信号電圧を印加し得る構成を簡易に実現することができる。
【発明の効果】
【００１２】
本発明によれば、表示セグメント部間において輝度むらが生じるのを抑制することが可能な表示素子を、極めて簡易な構成にて実現することができる。
【発明を実施するための最良の形態】
【００１３】
本発明の実施形態に係る表示素子について図面を参照して説明する。本実施形態は、本発明を有機ＥＬ（エレクトロルミネセンス）素子に適用したものである。なお、説明において、同一要素又は同一機能を有する要素には、同一符号を用いることとし、重複する説明は省略する。
【００１４】
図１は、本実施形態に係る有機ＥＬ素子を示す概略平面図である。図２は、図１におけるII−II線に沿った断面構成を説明するための図である。有機ＥＬ素子１は、図１に示されるように、所定形態（例えば、略「８」の字状）に配置された複数（本実施形態においては、７個）の表示セグメント部３ａ〜３ｇと、表示セグメント部３ａ〜３ｇを囲むように配置された発光部５を備えている。
【００１５】
有機ＥＬ素子１は、図２に示されるように、基板１１、電極層２１、第１有機層３１、第２有機層４１、第３有機層５１、及び電極層６１を有する。電極層２１、第１有機層３１、第２有機層４１、第３有機層５１、及び電極層６１は、基板１１上に順次形成されている。
【００１６】
基板１１は、電気絶縁性及び透光性を有する支持基板であり、例えば矩形形状を呈している。基板１１として、ガラス、石英などの非晶質基板や、プラスチック基板を用いることができる。
【００１７】
電極層２１は、ホール注入電極（陽極）として機能する。電極層２１は、各種酸化物で構成される透明導電膜を用いて構成することができる。かかる材料としては、酸化インジウム（Ｉｎ２Ｏ３）、酸化スズ（ＳｎＯ２）、酸化亜鉛（ＺｎＯ）、錫ドープ酸化インジウム（ＩＴＯ）、亜鉛ドープ酸化インジウム（ＩＺＯ）などが好ましく、中でも、ＩＴＯは、面内の比抵抗が均一な薄膜が容易に得られる点で特に好ましい。電極層２１は、蒸着法やスパッタ法、あるいはスクリーン印刷法等により基板１１上に形成される。
【００１８】
電極層２１は、図３にも示されるように、表示セグメント部３ａ〜３ｇに対応する第１の電極部分２３ａ〜２３ｇと、発光部５に対応する第２の電極部分２５とを含んでいる。第１の電極部分２３ａ〜２３ｇは、互いに所定の間隔を有して、略「８」の字状に配置されている。第１の電極部分２３ａ〜２３ｇは、互いに電気的に絶縁されている。第２の電極部分２５は、第１の電極部分２３ａ〜２３ｇを囲むように配置されている。第１の電極部分２３ａ〜２３ｇは、基板１１の端部方向にそれぞれ引き出し形成された配線部２４ａ〜２４ｇを有している。
【００１９】
第１の電極部分２３ａ〜２３ｇの縁に沿って電気絶縁体２７が配置されており、第１の電極部分２３ａ〜２３ｇは電気絶縁体２７にて囲まれることとなる。これにより、第１の電極部分２３ａ〜２３ｇと第２の電極部分２５とは電気的に絶縁されている。また、第２の電極部分２５の外縁にも電気絶縁体２７が配置されている。この電気絶縁体２７は上記電極部分２３ａ〜２３ｇ，２５の末端部を覆うように形成し、エッジカバーとしての機能を有するように形成しても良い。電気絶縁体２７の材料としては、ポリイミド樹脂等を用いることができる。ただし、第１の電極部分２３ａ〜２３ｇ、第２の電極部分２５の間が広く電気絶縁性が十分に確保される場合には、電気絶縁体２７を必ずしも形成しなくても良い。
【００２０】
第１の電極部分２３ａ〜２３ｄに囲まれて当該複数の第１の電極部分２３ａ〜２３ｄの内側に位置する第２の電極部分２５と、当該第２の電極部分２５を囲む複数の第１の電極部分２３ａ〜２３ｄの外側に位置する第２の電極部分２５とは、隣接する第１の電極部分２３ａ〜２３ｄの間において電気的に接続されている。同じく、第１の電極部分２３ｄ〜２３ｇに囲まれて当該複数の第１の電極部分２３ｄ〜２３ｇの内側に位置する第２の電極部分２５と、当該第２の電極部分２５を囲む複数の第１の電極部分２３ｄ〜２３ｇの外側に位置する第２の電極部分２５とは、隣接する第１の電極部分２３ｄ〜２３ｇの間において電気的に接続されている。
【００２１】
第１の電極部分２３ａ〜２３ｇ及び配線部２４ａ〜２４ｇには、電気絶縁体２７に沿って、バスバー電極２９がそれぞれ設けられている。本実施形態において、バスバー電極２９は、第１の電極部分２３ａ〜２３ｇ及び配線部２４ａ〜２４ｇの上に形成されている。第２の電極部分２５にも、バスバー電極３０が設けられている。バスバー電極３０は、隣接する第１の電極部分２３ｄ〜２３ｇの間を伸びて形成されている。このように、バスバー電極２９，３０を設けることにより、第１の電極部分２３ａ〜２３ｇあるいは第２の電極部分２５にかかる電位を均一にし、第２有機層４１にかかる電界の分布をより均一にして、各電極部分における発光むらを抑制することができる。なお、バスバー電極２９，３０の材料としては、アルミニウム（Ａｌ）、金（Ａｕ）、銀（Ａｇ）、銅（Ｃｕ）、ニッケル（Ｎｉ）等の導電性金属を用いることができる。また、バスバー電極２９，３０は、蒸着法や印刷法等により形成することができる。
【００２２】
第１有機層３１は、ホール注入層（ホール輸送層）として機能する。第１有機層３１の材料として、ＰＥＤＯＴ／ＰＳＳ（ポリ（３，４−エチレンジオキシチオフェン）とポリスチレンスルホン酸との混合物）、Ｃｕフタロシアニン、ＴＰＤ（トリフェニレンジアミン）、ＴＰＤ誘導体等を用いることができる。
【００２３】
第２有機層４１は、発光層として機能する。第２有機層４１の材料として、ＭＥＨ−ＰＰＶ（ポリ（２−メトキシ−５−エチルヘキシルオキシ−ｐ−フェニレンビニレン））、フルオレン、フルオレンから誘導された基を持つπ共役ポリマーやその他ホストポリマー（例えばフルオレンから誘導された基を持つビニルポリマー）にドーパントを混合した分子分散型ポリマー発光材料等を用いることができる。
【００２４】
第３有機層５１は、電子注入層（電子輸送層）として機能する。第３有機層５１の材料として、オキサジアゾール誘導体、Ａｌｑ３（トリス（８−キノリノラト）アルミニウム）、Ｂｐｈｅｎ（バソフェナントロリン）、β−ジケトン錯体等を用いることができる。
【００２５】
第１有機層３１、第２有機層４１及び第３有機層５１は、例えば、以下のようにして形成される。
【００２６】
まず、電極層２１の上に、ホール注入層塗布溶液をスピンコート法によって所定の膜厚（例えば、５００Å）となるように一定回転数（例えば、２０００ｒｐｍ）で成膜する。次に、第１有機層３１用の塗膜の上に、発光層塗布溶液をスピンコート法によって所定の膜厚（例えば、８００Å）となるように一定回転数（例えば、２０００ｒｐｍ）で成膜する。次に、第２有機層４１用の塗膜の上に、電子注入層塗布溶液をスピンコート法によって所定の膜厚（例えば、５０〜１００Å）となるように一定回転数（例えば、１５００ｒｐｍ）で成膜する。
【００２７】
各有機層３１，４１，５１用の各塗膜が形成され且つ隣接する塗膜間に混合領域が形成された基板１１を上述した加熱槽内に載置し、槽内を窒素ガス等の不活性ガス環境とし、一定圧力に保持した状態で且つ一定温度で加熱し、三層の塗膜を同時に乾燥・固化させ、第１有機層３１、第２有機層４１及び第３有機層５１を一括して形成せしめる。この際、各有機層３１，４１，５１の各界面領域に混合層が形成され得る。
【００２８】
ホール注入層塗布溶液は、第１有機層３１を構成する材料（例えば、ＰＥＤＯＴ／ＰＳＳ）を塗布溶媒（例えば、水）に所定の濃度（例えば、１ｗｔ％濃度）となるように溶解させて調製する。また、発光層塗布溶液は、第２有機層４１を構成する材料（例えば、ＭＥＨ−ＰＰＶ）を塗布溶媒（例えば、ｍ−キシレン）に所定の濃度（例えば、３ｗｔ％濃度）となるように溶解させて調製する。また、電子注入層塗布溶液は、第３有機層５１を構成する材料（例えば、オキサジアゾール誘導体）を塗布溶媒（例えば、２−エトキシエタノール）に所定の濃度（例えば、０．５ｗｔ％濃度）となるように溶解させて調製する。
【００２９】
電極層６１は、電子注入電極（陰極）として機能する。電極層６１の材料としは、アルミニウム（Ａｌ）、リチウム（Ｌｉ）、マグネシウム（Ｍｇ）、カルシウム（Ｃａ）等の金属単体、及びその化合物、あるいはアルミ・リチウム（Ａｌ−Ｌｉ）、アルミ・銀（Ａｌ−Ａｇ）、マグネシウム・銀（Ｍｇ−Ａｇ）等の各種合金を用いることができる。電極層６１は、蒸着法やスパッタ法等により第３有機層５１上に形成される。
【００３０】
電極層６１は、電極層２１とにより有機層３１，４１，５１を挟みこむように形成される。これにより、各第１の電極部分２３ａ〜２３ｇと電極層６１とで挟まれた各有機層３１，４１，５１の領域が表示セグメント部３ａ〜３ｇとしての発光領域となる。第２の電極部分２５と電極層６１とで挟まれた各有機層３１，４１，５１の領域が発光部５としての発光領域となる。発光部５は、各表示セグメント部３ａ〜３ｇを囲むように配置されることとなる。
【００３１】
また、有機ＥＬ素子１は、電極層２１、第１有機層３１、第２有機層４１、第３有機層５１、及び電極層６１を収容する封止ケース１３を有している。封止ケース１３は、ガラス等からなり、その端部が基板１１に接着剤（例えば、紫外線硬化型エポキシ樹脂接着剤等）により固定されている。電極層２１、第１有機層３１、第２有機層４１、第３有機層５１、及び電極層６１は、基板１１と封止ケース１３とで画成される空間内に配置される。基板１１と封止ケース１３とで画成される空間内には、吸湿作用を有する物質（例えば、乾燥剤等）１５が設けられている。
【００３２】
なお、電極層２１、第１有機層３１、第２有機層４１、第３有機層５１及び電極層６１を構成する材料としては、上述したもの以外にも、例えば、本出願人による特開２００３−１４２２６８号公報等に記載されている各種材料を用いることができる。
【００３３】
次に、上述した構成の有機ＥＬ素子１を用いた表示方法について説明する。有機ＥＬ素子１は、駆動部（図示せず）からの信号電圧に基づいて、各表示セグメント部３ａ〜３ｇ及び発光部５が駆動されて、その表示態様が制御される。
【００３４】
所望のパターンとして、有機ＥＬ素子１に数字の「３」を表示させる例を説明する。
【００３５】
まず、所定の第１の期間にわたって第１の電極部分２３ａ，２３ｃ，２３ｄ，２３ｆ，２３ｇと電極層６１との間に電圧を印加することにより、第１の電極部分２３ａ，２３ｃ，２３ｄ，２３ｆ，２３ｇに対応する表示セグメント部３ａ，３ｃ，３ｄ，３ｆ，３ｇが発光する。これにより、図４（ａ）に示されるように、上記第１の期間にわたり表示セグメント部３ａ，３ｃ，３ｄ，３ｆ，３ｇが発光した態様で、有機ＥＬ素子１に「３」が表示されることとなる。
【００３６】
続いて、所定の第２の期間にわたって第１の電極部分２３ｂ，２３ｅ及び第２の電極部分２５と電極層６１との間に電圧を印加することにより、表示セグメント部３ｂ，３ｅ及び発光部５が発光する。これにより、図４（ｂ）に示されるように、上記第２の期間にわたり表示セグメント部３ａ，３ｃ，３ｄ，３ｆ，３ｇが消灯した態様で、有機ＥＬ素子１に「３」が表示されることとなる。
【００３７】
その後、表示セグメント部３ａ，３ｃ，３ｄ，３ｆ，３ｇが発光した態様と、表示セグメント部３ａ，３ｃ，３ｄ，３ｆ，３ｇが消灯した態様とを交互に繰り返し、有機ＥＬ素子１に「３」を表示する。
【００３８】
このように、有機ＥＬ素子１に「３」を表示させる際に、所望のパターンに対応する表示セグメント部３ａ，３ｃ，３ｄ，３ｆ，３ｇのみを発光させる表示態様と、所望のパターンに対応する表示セグメント部３ａ，３ｃ，３ｄ，３ｆ，３ｇを発光させずに所望のパターンに対応しない表示セグメント部３ｂ，３ｅ及び発光部５を発光させる表示態様とを繰り返せば、表示セグメント部３ａ〜３ｇ間における発光時間の差を抑制することが可能となる。これにより、表示セグメント部３ａ〜３ｇ間で輝度むらが生じるのを抑制することができる。
【００３９】
また、上記第１の期間及び第２の期間を等しく設定することにより、表示セグメント部３ａ〜３ｇ間における発光時間の差がほぼ無くなることとなる。この結果、表示セグメント部３ａ〜３ｇ間で輝度むらが生じるのをより一層抑制することができる。
【００４０】
なお、図４（ａ）及び（ｂ）においては、説明のため、発光している表示セグメント部３ａ〜３ｇあるいは発光部５を、ハッチングを付して表している。
【００４１】
以上のように、本実施形態においては、表示セグメント部３ａ〜３ｇを囲むように発光部５が配置されているので、所望のパターンを表示させる際に、当該所望のパターンに対応する表示セグメント部３ａ〜３ｇの周りを全体的に発光させた状態で所望のパターンに対応する表示セグメント部３ａ〜３ｇを消灯させる表示態様を行わせ得ることができる。この結果、表示セグメント部３ａ〜３ｇを囲むように発光部５を配置するという極めて簡易な構成にて、表示セグメント部３ａ〜３ｇ間において輝度むらが生じるのを抑制することが可能となる。
【００４２】
また、本実施形態においては、互いに対向する一対の電極層２１，６１と、電極層２１，６１間に配置された有機層３１，４１，５１とを有し、電極層２１は、各表示セグメント部３ａ〜３ｇに対応する複数の第１の電極部分２３ａ〜２３ｇと、発光部５に対応する複数の第２の電極部分２５とを含んでおり、第１の電極部分２３ａ〜２３ｇと第２の電極部分２５とは電気的に絶縁されている。これにより、各表示セグメント部３ａ〜３ｇは、対応する第１の電極部分２３ａ〜２３ｇ、発光層有機層３１，４１，５１及び電極層６１とを含んで構成されることとなる。また、発光部５は、対応する第２の電極部分２５、有機層３１，４１，５１及び電極層６１とを含んで構成されることとなる。この結果、表示セグメント部３ａ〜３ｇを囲むように発光部５を適切且つ容易に配置することができる。
【００４３】
また、本実施形態においては、複数の第１の電極部分２３ａ〜２３ｇに囲まれて当該複数の第１の電極部分２３ａ〜２３ｇの内側に位置する第２の電極部分２５と、当該第２の電極部分２５を囲む複数の第１の電極部分２３ａ〜２３ｇの外側に位置する第２の電極部分２５とは、隣接する第１の電極部分２３ａ〜２３ｇの間において電気的に接続されている。これにより、複数の第１の電極部分２３ａ〜２３ｇに囲まれて当該複数の第１の電極部分２３ａ〜２３ｇの内側に位置する第２の電極部分２５に信号電圧を印加し得る構成を簡易に実現することができる。
【００４４】
また、本実施形態においては、電極層２１（第１の電極部分２３ａ〜２３ｇ及び第２の電極部分２５）をスクリーン印刷法等により１つの工程にて形成することができる。この結果、有機ＥＬ素子１の低コスト化を図ることができる。
【００４５】
以上、本発明者等によってなされた発明を実施形態に基づき具体的に説明したが、本発明は上記実施形態に限定されるものではない。例えば、各表示セグメント部３ａ〜３ｇ（第１の電極部分２３ａ〜２３ｇ）の数、配置形態は本実施形態のものに限られず、セグメント表示の内容に応じて適宜変更して設定することができる。
【００４６】
また、本実施形態においては、基板１１及び電極層２１が透光性を有し、有機層３１，４１，５１からの光を透過するように構成しているが、これに限られるものではない。たとえば、透光性を有さない材料にて基板１１及び電極層２１を構成し、透光性を有する材料で電極層６１を構成し、有機層３１，４１，５１からの光を電極層６１から出射させる構成としてもよい。また、電極層６１が第１の電極部分と第２の電極部分とを含むように構成してもよい。また、バスバー電極２９，３０は、必ずしも設ける必要はない。
【００４７】
また、各有機層３１，４１，５１に用いる有機材料の種類やその塗布溶媒等に応じて電極層２１をホール注入用電極（陽極）とし、且つ電極層６１を電子注入用電極（陰極）として用いてもよい。さらに、ホール注入層としての第１有機層３１及び電子注入層としての第３有機層５１は必ずしも必要ではなく、また、有機層３１，４１，５１の三層構造に限られず、後述するように、例えば第１有機層３１及び第２有機層４１（ホール注入層と発光層）、又は、第２有機層４１及び第３有機層５１（発光層と電子注入層）から成る二層構造としてもよい。前者の場合には発光層が電子輸送性を有すると好ましく、後者の場合には発光層がホール輸送性を有することが好ましい。
【００４８】
またさらに、必要に応じてその他の有機層として、ホール輸送層、電子輸送層等を更に設けた積層構造としてもよい。さらにまた、各有機層３１，４１，５１は単層でも複層でもよく、複層の場合、各有機層３１，４１，５１を構成する複数の層を異なる機能層としてもよいし、同種の機能層としても構わない。また、電極層２１と第１有機層３１との界面を改質したり、電荷注入性を改善するためのバッファ層（緩衝層）を更に設けたりしてもよい。
【００４９】
また、本発明は、上述した有機ＥＬ素子１に限られず、自己発光表示素子、例えば、無機ＥＬ素子、ＰＤＰ（Plasma Display Panel）、ＬＥＤ素子、ＦＥＤ（Field Emission Display）等に適用することができる。
【図面の簡単な説明】
【００５０】
【図１】本実施形態に係る有機ＥＬ素子を示す概略平面図である。
【図２】図１におけるII−II線に沿ったの断面構成を説明するための図である。
【図３】本実施形態に係る有機ＥＬ素子に含まれる電極層の構成を説明するための図である。
【図４】（ａ）及び（ｂ）は、本実施形態に係る有機ＥＬ素子を用いた表示方法を説明するための図である。
【符号の説明】
【００５１】
１…有機ＥＬ素子、３ａ〜３ｇ…表示セグメント部、５…発光部、１１…基板、２１…電極層、２３ａ〜２３ｇ…第１の電極部分、２４ａ〜２４ｇ…配線部、２５…第２の電極部分、２７…電気絶縁体、２９，３０・・・バスバー電極、３１…第１有機層、４１…第２有機層、５１…第３有機層、６１…電極層。
【図１】
2005107000.tif 000003
【図２】
2005107000.tif 000004
【図３】
2005107000.tif 000005
【図４】
2005107000.tif 000006